(57)【特許請求の範囲】
【請求項１】
軟質の合成樹脂からなる第１のチューブと、
軟質の合成樹脂からなり前記第１のチューブの内径よりも小さい外径を有し前記第１のチューブの内部に配設された第２のチューブと、
前記第２のチューブの長手方向に間隔をおいた多数の箇所に形成された給水用孔と、
前記第１チューブに形成された複数のスリットと、
前記給水用孔の内径および前記スリットの幅よりも大きい粒径を有し前記第１のチューブの内周面と前記第２のチューブの外周面との間に形成された環状の空間に充填され前記第２のチューブを前記第１のチューブの軸心上に保持する粒状培養土と、
を備えることを特徴とする緑化チューブ。
【請求項２】
前記粒状培養土には、植物の種子が混入されていることを特徴とする請求項１記載の緑化チューブ。
【請求項３】
前記第１のチューブの長手方向の端部には、前記粒状培養土の洩れを阻止する栓が取着されていることを特徴とする請求項１記載の緑化チューブ。
【請求項４】
前記第２のチューブの長手方向の端部は前記第１のチューブの長手方向の端部から突出しており、前記第１のチューブの長手方向の端部には、前記環状の空間を閉塞すると共に前記前記第２のチューブを突出させ前記粒状培養土の洩れを阻止する環状の栓が取着されていることを特徴とする請求項１記載の緑化チューブ。
【請求項５】
前記第２のチューブの長手方向の端部には栓が取着されて閉塞されていることを特徴とする請求項１記載の緑化チューブ。
【請求項６】
前記第２のチューブには、植物の根を絡ませるための縄体が巻装されていることを特徴とする請求項１記載の緑化チューブ。
【発明の詳細な説明】
【技術分野】
【０００１】
本発明は、壁面などを緑化する際に好適な緑化チューブに関する。
【背景技術】
【０００２】
壁面などを緑化する際に、従来では、壁面にワイヤーやあるいはメッシュ筋を取り付け、それらに植物を登らせ、あるいは下降させていくことが行なわれている。
しかしこの方法では、壁面の緑化に数年かかり、また、メンテナンスも難しい不具合がある。
また、人工土壌シートや緑化部材を壁面に取り付ける方法も提案されている（特許文献１、特許文献２）。
しかしながら、この方法では、装置が大掛かりとなるため、既存の建物に対してあるいは新たに建設する建物に対して簡単には設置できない不具合がある。
【特許文献１】特開２００５−２８７３０７
【特許文献２】特開２００５−３４１９０５
【発明の開示】
【発明が解決しようとする課題】
【０００３】
本発明は前記事情に鑑み案出されたものであって、本発明の目的は、壁面の緑化を短期間で行なえ、また、メンテナンスも簡単で、簡単に設置できる緑化チューブを提供することにある。
【課題を解決するための手段】
【０００４】
前記目的を達成するため本発明は、軟質の合成樹脂からなる第１のチューブと、軟質の合成樹脂からなり前記第１のチューブの内径よりも小さい外径を有し前記第１のチューブの内部に配設された第２のチューブと、前記第２のチューブの長手方向に間隔をおいた多数の箇所に形成された給水用孔と、前記第１チューブに形成された複数のスリットと、前記給水用孔の内径および前記スリットの幅よりも大きい粒径を有し前記第１のチューブの内周面と前記第２のチューブの外周面との間に形成された環状の空間に充填され前記第２のチューブを前記第１のチューブの軸心上に保持する粒状培養土とを備えることを特徴とする。
【発明の効果】
【０００５】
本発明は軟質な合成樹脂製のチューブを用いる構造であるため、その配設作業を短時間で簡単に低コストで行うことが可能となる。また、緑化すべき範囲や緑化すべき形状に簡単に対応できる。
種子と粒状培養土は、第１のチューブの内周面と第２のチューブの外周面とで形成された閉塞状の環状の空間に充填され、スリットを介して外気と連通する構造であるので、第２のチューブ、給水用孔から種子と粒状培養土に補給された水、水分の蒸発速度は遅く、したがって、乾燥状態（渇水状態）を防止し、植物を順調に生育させる上で極めて有利な環境となる。
【発明を実施するための最良の形態】
【０００６】
以下、本発明の実施の形態を図面にしたがって説明する。
図1は緑化チューブの一部破断斜視図である。
緑化チューブ１２は、第１のチューブ１４と、第２のチューブ１６と、給水用孔１８と、スリット２０と、粒状培養土２２を備えている。
【０００７】
第１のチューブ１４は軟質の合成樹脂からなり可撓可能である。このような第１のチューブ１４として、市販品であるビニールチューブが使用可能である。
第１のチューブ１４は、粒状培養土２２を保持する保持体として機能するものである。
スリット２０は、第１のチューブ１４の間隔をおいた複数個所に設けられている。これらスリット２０は、種子から発芽した植物の茎が、第１のチューブ１４の内部からスリット２０を通して外部に生育していくためのものである。
【０００８】
第２のチューブ１６は第１のチューブ１４の内径よりも小さい外径を有し、第１のチューブ１４の内部に配設されている。
第２のチューブ１６は軟質の合成樹脂からなり可撓可能である。このような第２のチューブ１６として、市販品であるビニールチューブが使用可能である。
第２のチューブ１６は、種子へ給水するための給水チューブである。したがって、第２のチューブ１６の複数個所に給水用孔１８が形成されている。
本実施の形態では、第２のチューブ１６の外周面にヤシ縄などのような縄２４が巻装され、植物の根が絡み、植物の落下防止が図られている。
【０００９】
そして、第２のチューブ１６は第１のチューブ１４の軸心上に配置され、第１のチューブ１４の内周面と第２のチューブ１６の外周面との間に形成された環状の空間Ｋに粒状培養土２２が充填され、粒状培養土２２により、第２のチューブ１６が第１のチューブ１４の軸心上に位置するように保持されている。
粒状培養土２２の粒径は、スリット２０から落下しないようにスリット２０の幅よりも大きい寸法で、また、給水用孔１８から第１のチューブ１４の内部に侵入しないように給水用孔１８の内径よりも大きい寸法のものが好ましい。
【００１０】
なお、図２に示すように、第２のチューブ１６の端部を第１のチューブ１４の端部よりも突出させ、この端部にジョイント２６を取り付けると、切り離された２つの緑化チューブ１２を連結する場合に、その連結を簡単に行うことができる。
また、第１のチューブ１４内に位置する第２のチューブ１６箇所から枝管２８を突出させると、ジョイント２６などを用いて他の緑化チューブ１２との給水系を連結する際に、その連結を簡単に行えるようになる。
また、第２のチューブ１６にはその長手方向の端部や長手方向の中間箇所から水が供給されることで、給水用孔１８から種子に水が供給されるが、給水用孔１８から水が供給されるためには、第２のチューブ１６内に水圧が確保されていなければならず、そのためには、当然のことながら、第２のチューブ１６の端部などの適宜箇所に止水栓が取り付けられ閉塞されている。
また、第１のチューブ１４の端部から粒状培養土２２が落下しないように第１のチューブ１４の端部には栓が取着されて閉塞され、また、第２のチューブ１６の端部が第１のチューブ１４の端部から突出している場合には、第１のチューブ１４の内周面と第２のチューブ１６の外周面との間に形成された環状の空間Ｋを閉塞する環状の栓２９（図２参照）が第１のチューブ１４の端部に取着されて閉塞されている。
【００１１】
次に、緑化チューブ１２の使用方法について説明する。
緑化チューブ１２の出荷時には、図１に示すように、スリット２０に粘着テープＴが貼られ、例えば、輸送中の振動や衝撃によりスリット２０から種子や粒状培養土２２が洩れ出ることが防止される。
種子は、粒状培養土２２の充填時に粒状培養土２２と共に第１のチューブ１４の内側に入れてもよく、あるいは、緑化チューブ１２の配設時にスリット２０から粒状培養土２２内に入れるようにしてもよい。
【００１２】
（配設例１）
図３に示すように、壁面３０に、緑化チューブ１２を延在させる方向に沿って予め複数のフック３２（あるいはリング）を取り付けておく。
次に、緑化チューブ１２をフック３２に挿通しつつ延在させ、水平方向に延在する緑化チューブ部分１２Ａを、上下に間隔をおいて複数設ける。
（配設例２）
図４に示すように、柱３４に緑化チューブ１２を巻き付ける。この場合、緑化チューブ１２を巻き付け状態が安定するように、柱３４の適宜箇所に、緑化チューブ１２を挿通させるフック３２（あるいはリング）などを設けるようにしてもよい。
（配設例３）
図５に示すように、梁３６に緑化チューブ１２を巻き付ける。この場合、緑化チューブ１２を巻き付け状態が安定するように、梁３６の適宜箇所に、緑化チューブ１２を挿通させるフック３２（あるいはリング）などを設けるようにしてもよい。
【００１３】
（配設例４）
図６に示すように、窓の格子３８に緑化チューブ１２を巻き付ける。この場合、格子３８を構成する縦横のステーの裏表に通していくことで、緑化チューブ１２の巻き付け状態を安定させることができる。
（配設例５）
図７に示すように、緑化チューブ１２を適宜箇所に水平方向に延在させ、メッシュフェンスやナイロンネットなどの網体４０の上部を緑化チューブ１２に取り付け、緑化チューブ１２から生育した植物を網体４０に絡ませる。
この場合、図８に示すように、網体４０を必要な形状に切断することで、緑化調整を行なうことができる。
【００１４】
次に、作用、効果について説明する。
第２のチューブ１６には、例えば、１日数回の割合で水が供給され、給水用孔１８から種子と粒状培養土２２に水が補給される。
そして、水分と粒状培養土２２からの栄養分を得ることで種子から発芽し、発芽した植物の茎が、第１のチューブ１４の内部からスリット２０を通して外部に生育していく。
本実施の形態では、種子と粒状培養土２２は、第１のチューブ１４の内周面と第２のチューブ１６の外周面とで形成された閉塞状の環状の空間Ｋに充填され、スリット２０を介して外気と連通する構造であるので、種子と粒状培養土２２に補給された水、水分の蒸発速度は遅く、したがって、乾燥状態（渇水状態）を防止し、植物を順調に生育させる上で極めて有利な環境となる。
したがって、短期間でしかも低コストで壁面などの全体を緑化することが可能となる。
また、緑化チューブ１２を用いるため、すなわち軟質な合成樹脂製のチューブを用いる構造であるため、その配設作業を短時間で簡単に低コストで行うことが可能となる。
また、緑化すべき範囲や緑化すべき形状に簡単に対応できる。
【００１５】
また、出荷の際に、乾燥させた状態の種子入り粒状培養土２２を充填すると、緑化チューブ１２は軽量となり、搬送する上で、また、配設作業をする上で極めて有利となる。
また、乾燥させた状態の種子入り粒状培養土２２を充填し、緑化チューブ１２の配設後もスリット２０に貼着した粘着テープＴを剥がさなければ、種子入り粒状培養土２２の乾燥状態が維持されるので、種子の発芽を抑制し、緑化時期を調整することも可能となる。
また、緑化チューブ１２の配設作業を簡単に行えることから、その取り外し作業も簡単に行え、したがって、緑化チューブ１２で生育させた植物が耐寒性に弱い場合、冬季に室内などに簡単に退避させることができる。
【図面の簡単な説明】
【００１６】
【図１】緑化チューブの一部破断斜視図である。
【図２】緑化チューブを接続する場合の説明図である。
【図３】緑化チューブの配設例の説明図である。
【図４】緑化チューブの配設例の説明図である。
【図５】緑化チューブの配設例の説明図である。
【図６】緑化チューブの配設例の説明図である。
【図７】緑化チューブの配設例の説明図である。
【図８】緑化チューブの配設例の説明図である。
【符号の説明】
【００１７】
１２……緑化チューブ、１４……第１のチューブ、１６……第２のチューブ、１８……給水用孔、２０……スリット、２２……粒状培養土。
【図１】
0004840971.tif 000002
【図２】
0004840971.tif 000003
【図３】
0004840971.tif 000004
【図４】
0004840971.tif 000005
【図５】
0004840971.tif 000006
【図６】
0004840971.tif 000007
【図７】
0004840971.tif 000008
【図８】
0004840971.tif 000009